(57)【要約】【課題】開閉体装置が何らかの不具合で開かなくなった場合でも、その開閉体を開かなくても人の出入を可能とする。【解決手段】剛性閉鎖部の一部に人が通過可能な通路用開口部を設け、この開口部を剛性閉鎖部と同じ剛性部材からなる通路用開閉手段で開閉可能にした。なお、通路用開口部を有する開閉手段が開放状態にある場合には、通路用開口部を開放する必要はないので、通常はこの通路用開口部は通路用開閉手段によって閉鎖状態にあり、開閉手段が何らかの不具合で開かなくなった場合などに、この通路用開閉手段を開放し、通路用開口部から人などが出入りできる。【選択図】図３
2008088755.tif 000002
【特許請求の範囲】
【請求項１】
開口部の周縁部に沿って設けられた案内手段と、
剛性部材にて形成される剛性閉鎖部から構成され、前記案内手段を移動することによって前記開口部を開閉する開閉手段とを含む開閉体装置において、
前記開閉手段は、剛性閉鎖部の一部に通路用開口部を備え、前記通路用開口部のヒンジ等の付属品を除いた部分は、前記剛性閉鎖部と同等の剛性部材にて形成された通路用開閉手段によって開閉制御されることを特徴とする開閉体装置。
【請求項２】
請求項１に記載の開閉体装置において、前記開閉手段及び前記通路用開閉手段は、中空パイプなどの棒状の長体よりなる複数のシャッター部材と、これらのシャッター部材を連結する複数のリンク部材を含んで構成されることを特徴とする開閉体装置。
【請求項３】
請求項２に記載の開閉体装置において、前記開閉手段及び前記通路用開閉手段を構成する前記シャッター部材の前記中空パイプであって、前記開閉手段の移動方向で隣接する前記中空パイプ同士がヒンジ手段によって互いに接続されることによって前記通路用開口部は閉鎖されおり、前記ヒンジ手段を取り外すことによって前記通路用開閉手段は開放されるように構成されたことを特徴とする開閉体装置。
【請求項４】
請求項３に記載の開閉体装置において、前記開閉手段の移動方向に垂直な方向に形成される前記開閉手段及び前記通路用開閉手段との間の隙間に互いを連結する連結手段を設けたことを特徴とする開閉体装置。
【請求項５】
請求項１に記載の開閉体装置において、前記開閉手段及び前記通路用開閉手段は、多数の短冊状のスラット材からなるスラットカーテンから構成されることを特徴とする開閉体装置。
【発明の詳細な説明】
【技術分野】
【０００１】
本発明は、住宅、ビル、工場、倉庫などの建物を含む構築・構造物、地下街などの地下施設、車両などの開口部に設置されるシャッターカーテンなどの開閉体を備えた開閉体装置に関する。
【背景技術】
【０００２】
住宅、ビル、工場、倉庫、車庫などの建物を含む構築・構造物、地下街などの地下施設、車両などの開口部に設置される開閉体は、閉鎖方向へ移動することによってその開口部を閉鎖するものである。このような開閉体装置としては、例えば、シャッター装置、パネルシャッター装置、オーバーヘッドドア、ブラインド装置、オーニング装置、ロールスクリーン装置、門扉、引戸装置などが知られている。これらの開閉体装置は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどの開閉体が開口部周縁部（例えば天井部等）の収納スペースに設けられた支持手段である収納ケースのブラケットなどに軸支された電動で駆動される巻取シャフトなどの回転体に巻き取られたり、回転体の回転により送り移動されたりして収納されることによって開口部を開放し、逆に繰り出されることによって、開口部全体または一部を閉鎖するように構成されている。
【０００３】
このような開閉体装置の中には、例えば、第三者による侵入防止等を目的とする重量シャッターのような管理用シャッターがある。一般的に、管理者の操作によってその開閉動作が制御され、一般的に人手によるシャッターの開閉は難しく、管理用シャッターの近傍にある開閉体操作装置などからの操作指示信号によって、電動力を用いて開閉動作を行なっている。
【０００４】
図１は、回転体手段を正逆回転駆動することによって、開閉体を開閉動作させる管理用シャッター装置の一例を示す図である。図２は、図１のシャッター装置を左側面から見た断面形状を示す図である。
【０００５】
図において、ガイドレール１，２はシャッターカーテン６によって開閉される開口部の両側左右に対向して起立配置されている。これらのガイドレール１，２は、対向する面側にそれぞれ縦長の開口を有する断面コの字状の部材から構成されている。ガイドレール１，２の上部にはボックス状の収納ケース３が設けられている。この収納ケース３内には、ギヤードモータからなる減速機付の開閉機４と、この開閉機４で正逆回転駆動される回転体手段である巻取シャフト５とが収納配置されている。従って、巻取シャフト５の正逆回転によりシャッターカーテン６の巻取り／巻戻し動作が行われ、これによって、シャッターカーテン６がガイドレール１，２に沿って昇降（開閉）駆動される。なお、開閉機にはブレーキ機能が具備されていたり、巻取シャフトには、開閉体が閉鎖するにしたがい付勢されるように設けられた付勢手段によって付勢力が付勢されていることがある。このような従来の管理用シャッター装置としては、特許文献１に記載されたものが知られている。
【特許文献１】特開平５−３４０１７６号公報
【発明の開示】
【発明が解決しようとする課題】
【０００６】
図１及び図２に示すような開閉体装置は、管理用シャッターの近傍にある開閉体操作装置などからの操作指示信号に応じて開閉機４などの電動力を用いて開閉動作を行なっているため、停電などによって開閉体装置への電力供給が停止した場合などには、人手によるシャッターの開閉を行なうことは困難である。従って、構築・構造物や地下施設、車両などの出入口等にこのような開閉体装置が設置されている箇所において、停電などによって電力の供給が停止した場合に、シャッターが開かず、人の出入りが困難になるという不具合が生じる可能性がある。
【０００７】
このような不具合が生じた場合、開閉体装置近傍に非常用の出入口が設けられている場合には、そこを利用することによって出入りが困難になるという状態を回避することは可能であるが、駅ビルなどのように不特定多数の人が出入りするような場所では、非常用の出入口を使用させることが好ましくない場合もあり、停電などによる出入口閉鎖によって利用者に多大な影響を与える可能性がある。
【０００８】
本発明は、上述の点に鑑みなされたものであり、開閉体装置が何らかの不具合で開かなくなった場合でも、その開閉体を開かなくても人の出入を可能とした開閉体装置を提供することを目的とする。
【課題を解決するための手段】
【０００９】
本発明の開閉体装置の第１の特徴は、開口部の周縁部に沿って設けられた案内手段と、剛性部材にて形成される剛性閉鎖部から構成され、前記案内手段を移動することによって前記開口部を開閉する開閉手段とを含む開閉体装置において、
前記開閉手段は、剛性閉鎖部の一部に通路用開口部を備え、前記通路用開口部のヒンジ等の付属品を除いた部分は、前記剛性閉鎖部と同等の剛性部材にて形成された通路用開閉手段によって開閉制御されることにある。
開閉手段は、ビル、住宅、工場、倉庫等の建物などの構築・構造物、地下街などの地下施設、車両などにおける、出入り口や窓部、あるいは内部の通路や空間などの開口部を仕切るために開口部周縁部から繰り出されたり、開放するために開口部周縁部の収納スペースに繰り入れられたりする。このとき、開閉手段は、開口部の周縁部に沿って設けられた案内手段に沿って移動する。開閉手段は、回転体手段にシャッターカーテンを巻き取ったり、繰り出したりするものや、オーバーヘッドドアのようにドアを吊り上げるためのワイヤー等を巻き取ったり、繰り出したりするものや、パネルシャッターのパネルを吊り上げたり、吊り下げたりするものなどを含む。このような開閉手段は、金属製、木製、プラスチック製、ガラス製、鉱物製などのような剛性部材にて形成されており、このような剛性部材にて形成される剛性閉鎖部は開口部を一体的に閉鎖するものなので、閉鎖される開口部に人の出入口を設ける場合にはこれとは別に潜り戸などのような出入口部を開口部近辺に設けるのが一般的であった。この発明では、剛性閉鎖部の一部に通路用開口部を設け、この開口部を剛性閉鎖部と同じ剛性部材からなる通路用開閉手段で開閉可能にしたことにある。ここで、通路用開口部は、少なくとも標準的な体型の成人男性一人が通過可能な開口部であればよい。なお、通路用開口部を有する開閉手段が開放状態にある場合には、通路用開口部を開放する必要はないので、通常はこの通路用開口部は通路用開閉手段によって閉鎖状態にあり、開閉手段が何らかの不具合で開かなくなった場合などに、この通路用開閉手段を開放し、通路用開口部から人などが出入りできるようになる。通路用開閉手段が開放された場合に、例えば、大きな音を発生させて知らせたり、警備会社や守衛室へ警報信号が発信するなどの構造を備えてもよい。なお、開閉体装置は、通常構築・構造物などの開口部の上部に収納され、上昇・下降方式で開閉動作するが、これ以外にも開閉手段が開口部の側部に収納され横移動方式で開閉移動したり、開口部の下部に収納され下降・上昇方式で開閉移動したりするものも含む概念である。
【００１０】
本発明の開閉体装置の第２の特徴は、前記第１の特徴に記載の開閉体装置において、前記開閉手段及び前記通路用開閉手段は、中空パイプなどの棒状の長体よりなる複数のシャッター部材と、これらのシャッター部材を連結する複数のリンク部材を含んで構成されることにある。これは、開閉体装置が中空パイプなどの棒状の長体を基本部品とするグリルシャッター装置であることを示している。
【００１１】
本発明の開閉体装置の第３の特徴は、前記第２の特徴に記載の開閉体装置において、前記開閉手段及び前記通路用開閉手段を構成する前記シャッター部材の前記中空パイプであって、前記開閉手段の移動方向で隣接する前記中空パイプ同士がヒンジ手段によって互いに接続されることによって前記通路用開口部は閉鎖されおり、前記ヒンジ手段を取り外すことによって前記通路用開閉手段は開放されるように構成されたことにある。これは、前記第３の特徴のグリルシャッター装置のような開閉手段の一部に通路用開口部が設けられ、この通路用開口部に通路用開閉手段が設置されるので、その場合に中空パイプ同士をヒンジ手段で接続することによって、開閉可能な通路用開閉手段を前記開閉手段内に設けることができるようにしたものである。
【００１２】
本発明の開閉体装置の第４の特徴は、前記第３の特徴に記載の開閉体装置において、前記開閉手段の移動方向に対して垂直な方向の前記開閉手段及び前記通路用開閉手段との間の隙間に互いを連結する連結手段を設けたことにある。前記第３の特徴のグリルシャッター装置のような開閉手段の一部に通路用開口部を設け、そこを通路用開閉手段で閉鎖した場合、開閉手段の移動方向に垂直な方向の開閉手段と通路用開閉手段との間に隙間が形成されるので、この隙間からの第三者の侵入を防止するために、開閉手段及び通路用開閉手段との間の隙間を互いに連結する連結手段を設けた。
【００１３】
本発明の開閉体装置の第５の特徴は、前記第１の特徴に記載の開閉体装置において、前記開閉手段及び前記通路用開閉手段が、多数の短冊状のスラット材からなるスラットカーテンを含んで構成されることにある。これは、開閉体装置が多数の短冊状のスラット材を基本部品とするシャッター装置であることを示している。
【発明の効果】
【００１４】
本発明の開閉体装置によれば、開閉体装置が何らかの不具合で開かなくなった場合でも、その開閉体を開かなくても人の出入を可能とすることができるという効果がある。
【発明を実施するための最良の形態】
【００１５】
以下、添付図面に従って本発明に係る開閉体装置の一実施の形態に係る電動グリルシャッター装置について説明する。図３は、本発明に係る電動グリルシャッター装置の一実施の形態を示す図である。電動グリルシャッター装置は、図３に概略的に示すように、建物などの構築・構造物の開口などの上縁にシャッターケース３が水平に設けられ、この中に、巻取りシャフトが軸支され、同ケース内に配置されたギヤードモータからなる減速機付の開閉機４によって、正逆回転方向に巻取シャフトが駆動されるようになっている。なお、図では開閉機４は、シャッターケース３内に収納されているので、点線で示してある。巻取シャフトについては図示を省略してある。これによって、上端が巻取シャフトに連結されたグリルシャッターカーテン７が開口部を巻き上げられたり、あるいは、巻き戻されたりする。そして、グリルシャッターカーテン７の両端は、開口の両側に立設したガイドレール１，２内で昇降することにより、開口部の開閉動作を行うことになる。
【００１６】
グリルシャッターカーテン７は、中空パイプなどの棒状の長体からなる部材を含んで構成された複数のシャッター部材７１と、これらのシャッター部材７１を連結する複数のリンク７２とから構成されており、これによって、各シャッター部材７１は、水平な姿勢のまま、所定間隔で上下に配列され、その両端をガイドレール１，２の中に挿入した状態で、その前後を摺動自在に支持され、上下にガイドされる。
【００１７】
この実施の形態では、図３に示すように、グリルシャッターカーテン７の内側に人が通過可能な程度の大きさの長方形状の通路用開口部８が設けられている。この通路用開口部８には、通路用グリルシャッターカーテン９が設けられている。図４は、この通路用グリルシャッターカーテン９とグリルシャッターカーテン７の通路用開口部８の一部を拡大して示す図である。この通路用グリルシャッターカーテン９の基本構成は、グリルシャッターカーテン７と同じであり、中空パイプなどの棒状の長体よりなる部材により構成された複数のシャッター部材９１と、これらのシャッター部材９１を連結する複数のリンク９２とから構成されている。各シャッター部材９１は、水平な姿勢のまま、所定間隔で上下に配列されている。通路用グリルシャッターカーテン９の側面は、グリルシャッターカーテン７の内側に設けられた通路用開口部８の側面に面している。通路用グリルシャッターカーテン９と通路用開口部８との上下方向の対向する面には、シャッター部材７１，９１を連結する吊りヒンジ部材１０１，１０２及びロック部材１０３，１０４が設けられている。
【００１８】
通路用グリルシャッターカーテン９の最上端部のシャッター部材９１１は、吊りヒンジ部材１０１，１０２によってグリルシャッターカーテン７のシャッター部材７１１に吊り下げられ、通路用グリルシャッターカーテン９の最下端部のシャッター部材９１２は、ロック部材１０３，１０４を介してグリルシャッターカーテン７のシャッター部材７１２に取り付けられている。吊りヒンジ部材１０１，１０２は、図から明らかなように、通路用グリルシャッターカーテン９の各シャッター部材９１１と両側のシャッター部材７１３，７１４とほぼ同じ高さとなるように接続している。ロック部材１０３，１０４は、シャッター部材７１２，９１２を強固に連結するリンクとしての役割をしている。
【００１９】
図５は、図３及び図４の吊りヒンジ部材の詳細構成を示す図である。吊りヒンジ部材１０１は、第１ヒンジ部材１０１１と第２ヒンジ部材１０１２とから構成される。図６は、図５の第１ヒンジ部材１０１１及び第２ヒンジ部材１０１２が結合された状態を示す図である。図に示すように、第１ヒンジ部材１０１１及び第２ヒンジ部材１０１２は、Ｌ字鋼とＣ字鋼の結合された形状をしている。第１ヒンジ部材１０１１及び第２ヒンジ部材１０１２の互いのＬ字鋼の短軸面同士が結合可能に構成されており、第１ヒンジ部材１０１１を矢印５０の方向に移動させることによって、短軸面同士が結合される。第１ヒンジ部材１０１１及び第２ヒンジ部材１０１２の互いの結合部には、鍵穴が設けられており、第１ヒンジ部材１０１１及び第２ヒンジ部材１０１２が結合された状態でその鍵穴に南京錠６０の吊部６１が貫通されて鍵が掛けられている。これによって、吊りヒンジ部材１０１，１０２を外部から外すことは困難となり、防犯性能を確保することができる。なお、ロック部材も図５及び図６の吊りヒンジ部材と同じ構成としてもよいが、ロック部材は取外しできなくてもよいので、図５の第１ヒンジ部材１０１１と第２ヒンジ部材１０１２とを一体的に構成してもよい。また、ロック部材に代えてシャッター部材７１２とシャッター部材９１２とをリンクを用いて強固に結合するようにしてもよい。
【００２０】
図３及び図４に示すようにグリルシャッターカーテン７の内側に人が通過可能な程度の大きさの長方形状の通路用開口部８を設け、そこに通路用グリルシャッターカーテン９を設けた場合、通路用グリルシャッターカーテン９の両側に隙間が構成されるので、そこに手を掛けて、隙間を開こうとしても、通路用グリルシャッターカーテン９は吊りヒンジ部材１０１，１０２及びロック部材１０３，１０４によって上下方向に張力が掛けられているので、隙間は若干大きくなるが、人が通過可能なほどの隙間は形成されないので、防犯性を確保することができる。
【００２１】
図７は、図３の電動グリルシャッター装置の変形例を示す図であり、通路用グリルシャッターカーテンを含むグリルシャッターカーテンの一部を抜き出して示してある。電動グリルシャッター装置は縦方向に長いので、図７では、縦方向の一部を省略して示してある。この変形例では、図３の電動グリルシャッター装置の通路用グリルシャッターカーテン９が撓んで両側に隙間が形成されるのを防止するようにしたものである。すなわち、グリルシャッターカーテン７の通路用開口部８の内側面と通路用グリルシャッターカーテン９の両側面との間の一部を接続するロック機構７０，８０を設けるようにしたものである。ロック機構７０，８０は、Ｃ型形状をしており、シャッター部材９１４，９１５間に固定的に設けられている。ロック機構７０，８０の中央付近には、隣接するリンクの穴を貫通するロック棒７１，８１が設けられている。このロック棒７１，８１は隣接するリンク穴に貫通した後は容易に戻らないように回転鍵７３，８３によってロックされている。従って、通路用グリルシャッターカーテン９の両側のリンク穴にロック棒７１，８１が貫通することによって、通路用グリルシャッターカーテン９が撓んで両側に形成される隙間が大きくなるようなことはなくなり、防犯性能が大幅に向上する。
【００２２】
図８は、本発明に係る開閉体装置の別の実施の形態を示す図である。図８に示したものは、カーテン部にスラット材を用いた電動シャッター装置の一例を示す図である。図８の電動シャッター装置は、開閉体がグリルシャッターカーテンに代えてスラットカーテンで構成されたものであり、基本的な構成は、図３の電動グリルシャッター装置と同じなので、その相違点について説明する。
【００２３】
この実施の形態では、図８に示すように、スラットカーテン８１の内側に人が通過可能な程度の大きさの長方形状の通路用開口部８２が設けられている。この通路用開口部８２には、通路用スラットカーテン部８３が設けられている。図９は、この通路用スラットカーテン部８３とスラットカーテン８１の通路用開口部８２の一部を拡大して示す図である。なお、図９は、図８のスラットカーテン及び通路用スラットカーテン部８３を建物内部側（図８の紙面の裏側）から見た図である。この通路用スラットカーテン部８３の基本構成は、スラットカーテン８１と同じであり、多数の短冊状のスラット材より構成されている。
【００２４】
通路用スラットカーテン部８３の最上端部に接する箇所のスラットカーテン８１は、その一部が長方形状に切り取られ、この切り取られた部分に通路用スラットカーテン部８３の最上端部のスラット部材８３１が吊り部材８３５，８３７によって吊り下げられている。通路用スラットカーテン部８３の最下端部のスラット部材８３３は、スラットカーテン８１のスラット部材とは分離された状態となっている。従って、この実施の形態では、ロック部材を介して通路用スラットカーテン部８３をスラットカーテン８１に連結し、通路用スラットカーテン部８３が容易に開閉されるのを防止している。
【００２５】
ロック部材は、通路用スラットカーテン部８３の側面にスライド可能に設けられたロック棒９０１〜９０８と、これらのロック棒９０１〜９０８にそれぞれ対向する位置のスラットカーテン８１の側面に設けられた係止部９１１〜９１８とから構成される。ロック棒９０１〜９０８は、この係止部９１１〜９１８にスライド挿入されて係止されるようになっている。一方、各ロック棒９０１〜９０８の係止部９１１〜９１８の対向する面と反対側は、ワイヤーなどの可撓性部材９２１〜９２４を介して回転鍵７５，８５に接続されている。通常は、この回転鍵７５，８５は回転しないようにロックされている。このようにロック棒９０１〜９０８が係止部９１１〜９１８に挿入係止されることによって、スラットカーテン８１と通路用スラットカーテン部８２とは互いに連結結合され、通路用スラットカーテン部８３が外部から容易に開閉されることはなくなり、防犯性能は大幅に向上する。このような状態で、上端が巻取シャフトに連結されたスラットカーテン８１のが開口部を巻き上げられたり、あるいは、巻き戻されたりして、スラットカーテン８１の両端は、開口の両側に立設したガイドレール１，２内で昇降することにより、開口部の開閉動作を行うことになる。
【００２６】
一方、停電などによって電力の供給などが停止し、スラットカーテン８１が開かず、人の出入りが困難になった場合には、回転鍵７５，８５のロック状態を解除し、回転鍵７５，８５を回転することによって、可撓性部材９２１〜９２４を介してロック棒９０１〜９０８が係止部９１１〜９１８からスライドして挿入係止状態から開放される。これによって、通路用スラットカーテン部８３は、スラットカーテン８１との連結状態から開放されるので、通路用スラットカーテン部８３は自由に開閉することができるようになり、そこを出入口通路として利用することが可能となる。
【００２７】
上述の実施の形態では、開閉体であるグリルシャッターカーテンなどが下降しながら繰り出されて閉鎖するシャッター装置を例に説明したが、これ以外にも開閉体が横移動方式で繰り出されたり、上昇方式で繰り出されたり、あるいは水平方式、斜め方式で繰り出されたりするもの等であっても同様に適用することができる。開閉手段である開閉体としては、多数の短冊状のスラット材からなるスラットカーテン、多数のパイプ材をリンク材などで連結させてなるパイプグリルカーテン、一枚状あるいは多数連結されたパネル材からなるパネルカーテンなどで構成される場合がある。また、開閉手段である開閉体の材質は、使用目的に応じたものであれば、どのようなものでもよい。具体的には、金属製、木製、プラスチック製、ガラス製、鉱物製、これらの複合されたものなどで構成することができる。
【図面の簡単な説明】
【００２８】
【図１】回転体手段を正逆回転駆動することによって、開閉体を開閉動作させる管理用シャッター装置の一例を示す図である。
【図２】図１のシャッター装置を左側面から見た断面形状を示す図である。
【図３】本発明に係る電動グリルシャッター装置の一実施の形態を示す図である。
【図４】この通路用グリルシャッターカーテンとグリルシャッターカーテンの通路用開口部の一部を拡大して示す図である。
【図５】図３及び図４の吊りヒンジ部材の詳細構成を示す図である。
【図６】図５の第１ヒンジ部材及び第２ヒンジ部材が結合された状態を示す図である。
【図７】図３の電動グリルシャッター装置の変形例を示す図であり、通路用グリルシャッターカーテンを含むグリルシャッターカーテンの一部を抜き出して示してある。
【図８】本発明に係る開閉体装置の別の実施の形態を示す図である。
【図９】図８の通路用スラットカーテン部とスラットカーテンの通路用開口部の一部を拡大して示す図である。
【符号の説明】
【００２９】
１，２…ガイドレール
３…シャッターケース
４…開閉機
７…グリルシャッターカーテン
７１，７１１，７１２，７１３，７１４…シャッター部材
７２…リンク
８…通路用開口部
９…通路用グリルシャッターカーテン
９１，９１２，９１４，９１５…シャッター部材
９２…リンク
１０１，１０２…吊りヒンジ部材
１０３，１０４…ロック部材
１０１１…第１ヒンジ部材
１０１２…第２ヒンジ部材
６０…南京錠
６１…吊部
７０，８０…ロック機構
７１，８１…ロック棒
７３，８３…回転鍵
８１…スラットカーテン
８２…通路用開口部
８３…通路用スラットカーテン部
８３１，８３３…スラット部材
８３５，８３７…吊り部材
９０１〜９０８…ロック棒
９１１〜９１８…係止部
９２１〜９２４…可撓性部材
７５，８５…回転鍵
【図１】
2008088755.tif 000003
【図２】
2008088755.tif 000004
【図３】
2008088755.tif 000005
【図４】
2008088755.tif 000006
【図５】
2008088755.tif 000007
【図６】
2008088755.tif 000008
【図７】
2008088755.tif 000009
【図８】
2008088755.tif 000010
【図９】
2008088755.tif 000011